(57)【要約】【課題】階段の踏板下のスペースを利用することにより居住スペースを減少させることなく、植物の栽培がなし得る階段構造を提供する。【解決手段】踏板ＦＢの下に植物栽培ユニットＵを積層して引出可能に配設してなる階段構造Ｋである。蹴込板ＫＢは透明または半透明とされて、植物ユニットＵの光源４からの光がフットライトとして機能するようにされてもよい。また、階段ＳＴの上方に天窓ＣＷが設けられ、天窓ＣＷからの太陽光が植物の栽培に利用可能とされてもよい。【選択図】図１
2014051778.tif 000002
【特許請求の範囲】
【請求項１】
踏板の下に植物栽培ユニットを積層して配設してなることを特徴とする階段構造。
【請求項２】
植物栽培ユニットが引出可能に配設されてなることを特徴とする請求項１記載の階段構造。
【請求項３】
植物栽培ユニットが光源を有することを特徴とする請求項１記載の階段構造。
【請求項４】
光源から照射される光は、植物の生育に影響を与える波長の光とされてなることを特徴とする請求項３記載の階段構造。
【請求項５】
階段の上方に天窓が設けられ、天窓からの太陽光が植物の栽培に利用可能とされてなることを特徴とする請求項１記載の階段構造。
【請求項６】
階段の側面に窓が設けられ、窓からの太陽光が植物の栽培に利用可能とされてなることを特徴とする請求項１記載の階段構造。
【請求項７】
蹴込板が設けられ、該蹴込板が透明または半透明とされてなることを特徴とする請求項１記載の階段構造。
【請求項８】
踏板および踊り場が透明とされてなることを特徴とする請求項５または６記載の階段構造。
【請求項９】
請求項１ないし請求項８のいずれか一項に記載の階段構造を備えてなることを特徴とする住宅。
【発明の詳細な説明】
【技術分野】
【０００１】
本発明は階段構造に関する。さらに詳しくは、植物の栽培が大量かつ効率的になし得る階段構造に関する。
【背景技術】
【０００２】
近時、食の安全を確保し、しかも植物を効率的に育成するため住宅内に植物の栽培ルームを設ける案が提案されている(特許文献１参照)。
【０００３】
しかしながら、住宅内に植物の栽培ルームを設ける案にあっては、居住スペースが減少するという問題がある。
【０００４】
そのため、居住スペースを減少させることなく、住宅内において植物の栽培が大量かつ効率的になし得る住宅の実現が求められている。
【先行技術文献】
【特許文献】
【０００５】
【特許文献１】特開２０１１−２５０７６９号公報
【発明の開示】
【発明が解決しようとする課題】
【０００６】
本発明はかかる従来技術の課題に鑑みなされたものであって、階段の踏板下のスペースを利用することにより居住スペースを減少させることなく、植物の栽培が大量にしかも効率的になし得る階段構造を提供することを目的としている。
【課題を解決するための手段】
【０００７】
本発明の階段構造は、踏板の下に植物栽培ユニットを積層して配設してなることを特徴とする。
【０００８】
本発明の階段構造においては、植物栽培ユニットが引出可能に配設されてなるのが好ましい。
【０００９】
また、本発明の階段構造においては、植物栽培ユニットが光源を有するのが好ましい。その場合、光源から照射される光は、植物の生育に影響を与える波長の光とされてなるのがさらに好ましい。
【００１０】
また、本発明の階段構造においては、階段の上方に天窓が設けられ、天窓からの太陽光が植物の栽培に利用可能とされてもよい。
【００１１】
また、本発明の階段構造においては、階段の側面に窓が設けられ、窓からの太陽光が植物の栽培に利用可能とされてもよい。
【００１２】
また、本発明の階段構造においては、蹴込板が設けられ、該蹴込板が透明または半透明とされてなるのが好ましい。
【００１３】
また、本発明の階段構造においては、踏板および踊り場が透明とされてなるのが好ましい。
【００１４】
しかして、前記階段構造は住宅に備えられる。
【発明の効果】
【００１５】
本発明は、前記の如く構成されているので、居住スペースを減少させることなく、植物の栽培を大量にしかも効率的になし得るという優れた効果を奏する。
【図面の簡単な説明】
【００１６】
【図１】本発明の実施形態１に係る階段構造の正面図である。
【図２】同側面図である。
【図３】植物栽培ユニットの概略図である。
【図４】植物栽培ユニットの底部拡大正面図である。
【図５】同側面図である。
【図６】本発明の実施形態２に係る階段構造の概略図である。
【図７】本発明の実施形態３に係る階段構造の概略図である。
【発明を実施するための形態】
【００１７】
以下、添付図面を参照しながら本発明を実施形態に基づいて説明するが、本発明はかかる実施形態のみに限定されるものではない。
【００１８】
実施形態１
図１および図２に、本発明の実施形態１に係る階段構造Ｋを示す。
【００１９】
階段構造Ｋは、図１および図２に示すように、階段ＳＴの踏板ＦＢの下に植物栽培ユニットＵを引出可能に積層して配設してなるものとされる。
【００２０】
植物栽培ユニットＵは、図３に示すように、天板なしの枠状体とされた本体１と、本体１の底部に形成された貯水部２と、貯水部２の上に配設された植物培地３と、上部に配設された光源４とを備え、植物培地３の上方の中間部はがらんどうとされてなるものとされる。また、植物栽培ユニットＵは、接続部材Ｊにより上下に積層可能とされている（図２参照）。図中、符号５は戸車を示し、符号Ｇは溝を示し、符号Ｒはレールを示す。
【００２１】
光源４から照射される光は、植物の生育に影響を与える波長の光とされている。例えば、葉を柔らかくする波長の光とされている。
【００２２】
植物栽培ユニットＵは、図２に示すように、階段ＳＴの段数に合わせた数のユニットＵが積層されて踏板ＦＢの下に配設されるものとされる。つまり、一段目の踏板ＦＢの下には一層の植物栽培ユニットＵが配設され、二段目の踏板ＦＢの下には二層の植物栽培ユニットＵが配設され、三段目の踏板ＦＢの下には三層の植物栽培ユニットＵが配設されるようにされてなるものとされる。
【００２３】
最下層に位置する植物栽培ユニットＵの底面には、図４および図５に示すように、所要数の戸車５が所定配列(図示例では２個が２列)にて装着されるともに、床Ｆには戸車５に対応させて形成された溝ＧにレールＲが敷設されている。これにより、図１に二点鎖線で示すように、積層された植物栽培ユニットＵが引出可能とされ、栽培された植物の手入れが容易になし得る。
【００２４】
階段ＳＴの蹴込板ＫＢは、植物栽培ユニットＵの光源４がフットライトとして機能するよう、透明または半透明とされている。
【００２５】
このように、本実施形態によれば、階段ＳＴの踏板ＦＢ下のスペースに植物栽培ユニットＵを積層して引出可能に配設しているので、居住スペースを減少させることなく植物の栽培面積の増大が図られ、しかもその手入れが効率的になし得る。
【００２６】
実施形態２
図６に、本発明の実施形態２に係る階段構造Ｋを示す。
【００２７】
実施形態２は実施形態１を改変してなるものであって、階段ＳＴの上に天窓ＣＷを設けるとともに、踏板ＫＢや踊り場ＤＢも透明として天窓ＣＷからの太陽光を植物の栽培に利用するようにされてなるものとされる。なお、実施形態２のその余の構成および作用・効果は実施形態１と同様とされている。
【００２８】
このように、本実施形態によれば、昼間は太陽光を利用するようにしているので、消費電力の低減が図られるという実施形態１では得られない効果も得られる。
【００２９】
実施形態３
図７に、本発明の実施形態３に係る階段構造Ｋを示す。
【００３０】
実施形態３は実施形態１を改変してなるものであって、階段ＳＴの側面側に窓Ｗを設けるとともに踏板ＫＢおよび踊り場ＤＢも透明として窓からの太陽光を植物の栽培に利用するようにされてなるものとされる。なお、実施形態３のその余の構成および作用・効果は実施形態１と同様とされている。
【００３１】
このように、本実施形態によれば、昼間は太陽光を利用するようにしているので、消費電力の低減が図られるという実施形態１では得られない効果も得られる。また、窓Ｗから照射される太陽光の量は実施形態２に比して多いので、実施形態２に比して植物の生育が早くなる。
【００３２】
以上、本発明を実施形態に基づいて説明してきたが、本発明かかる実施形態のみに限定されるものではなく、種々改変が可能である。
【００３３】
本実施形態では蹴込板ＫＢが設けられる構成とされているが、踏板ＦＢの幅によっては、蹴込板ＫＢは設けられなくてもよい。
【００３４】
また、実施形態３では、窓Ｗは踏板ＦＢの上側に設けられているが、窓Ｗは踏板ＦＢの下側に設けられるようにされてもよい。
【産業上の利用可能性】
【００３５】
本発明は住宅産業に適用できる。
【符号の説明】
【００３６】
Ｋ      階段構造
Ｆ      床
ＳＴ    階段
ＦＢ    踏板
ＫＢ    蹴込板
ＤＢ    踊り場
Ｕ      植物栽培ユニット
Ｊ      接続部材
Ｇ      溝
Ｒ      レール
ＣＷ    天窓
Ｗ      窓
１      本体
２      貯水部
３      植物培地
４      光源
５      戸車
【図１】
2014051778.tif 000003
【図２】
2014051778.tif 000004
【図３】
2014051778.tif 000005
【図４】
2014051778.tif 000006
【図５】
2014051778.tif 000007
【図６】
2014051778.tif 000008
【図７】
2014051778.tif 000009